(57)【要約】【課題】複数の再生機器で構成されたシステムにおいて、再生機器ごとに各々で処理可能なデータ形式の音響データを提供することで再生機器ごとの性能に合わせた音質での再生を、必要最小限の音響データの転送により実現することができるシステムを提供すること。【解決手段】第２再生機器４０で再生不可能なＤＳＤ形式のオーディオデータが選択され（Ｓ１）、再生機器として第１再生機器３０および第２再生機器４０が選択された（Ｓ３）ことに応じて、コンテンツサーバ３からオーディオデータを受信するマスタ機器を第１再生機器に決定する（Ｓ９）。第１再生機器においてＤＳＤ形式のオーディオデータをＰＣＭ形式のオーディオデータにデータ変換し（Ｓ１１）、変換されたオーディオデータを第２再生機器４０に転送する。【選択図】図４
2017156671.tif 000002
【特許請求の範囲】
【請求項１】
オーディオデータを提供するコンテンツサーバと、
第１の信号処理部を有して、前記オーディオデータを再生する第１再生機器と、
前記オーディオデータを再生する第２再生機器と、を備え、
前記第２再生機器での前記オーディオデータの再生が要求されたことに応じて、前記コンテンツサーバから前記第１再生機器に前記オーディオデータを転送し、前記第１再生機器において前記第１の信号処理部による所定の信号処理を前記オーディオデータに施し、当該信号処理されたオーディオデータを前記第２再生機器に転送することを特徴とするシステム。
【請求項２】
前記コンテンツサーバに格納されている前記オーディオデータは、第１データ形式のデジタルデータであり、
前記信号処理は、前記第１データ形式のオーディオデータを前記第１データ形式とは異なる第２データ形式のオーディオデータに変換するデータ変換処理である請求項１に記載のシステム。
【請求項３】
前記第２再生機器は第２の信号処理部を有し、
前記第１の信号処理部は前記第１のデータ形式を再生可能であり、
前記第１の信号処理部は前記第２のデータ形式を再生可能である
請求項２に記載のシステム。
【請求項４】
前記第１の信号処理は、前記オーディオデータの周波数帯域を拡張する帯域拡張処理である
請求項１に記載のシステム。
【発明の詳細な説明】
【技術分野】
【０００１】
本発明は、複数の音響機器がネットワーク接続されて構成されたシステムに関するものである。
【背景技術】
【０００２】
従来より、コンテンツを例えば携帯端末などの機器にネットワークを介して配信する場合に、配信先の機器の能力に応じてコンテンツの内容を変換する技術が知られている。例えば、特許文献１には、ストリームまたはファイルの要求を行った携帯端末の能力に応じて、例えばコーデックなどの変換内容に従って変換するゲートウェイ装置が記載されている。
【先行技術文献】
【特許文献】
【０００３】
【特許文献１】ＷＯ２０１１−０１０６０１号公報
【発明の概要】
【発明が解決しようとする課題】
【０００４】
ところで、複数の再生機器で構成され、例えば同じ音響データを複数の再生機器で同時に再生することができる機能を有するＡＶシステムがある。詳しくは、複数の再生機器がネットワークあるいは音声ケーブルで接続されて構成されており、各再生機器は例えば音響データを提供するコンテンツサーバから音響データを受信して再生する。
【０００５】
上記ＡＶシステムを構成する複数の再生機器の性能が互いに異なる場合に、音響データの形式によっては、再生可能な再生機器と再生不可能な再生機器とが混在してしまうおそれがあった。このため、複数の再生機器で同じ音響データを再生させたい場合には、高音質の音響データを再生可能な再生機器があるにもかかわらず、例えば低音質の音響データを選択するなどの対応を行う必要があった。
【０００６】
あるいは、上記特許文献１を適用し、複数の再生機器ごとに、各々の性能に応じた音響データを受信することも考えられる。しかしながら、この場合、コンテンツサーバから再生機器の台数分の音響データの配信を受ける必要が生じてしまう。
【０００７】
本願は、上記の課題に鑑み提案されたものであって、複数の再生機器で構成されたシステムにおいて、再生機器ごとに各々で処理可能なデータ形式の音響データを提供することで再生機器ごとの性能に合わせた音質での再生を、必要最小限の音響データの転送により実現することができるシステムを提供することを目的とする。
【課題を解決するための手段】
【０００８】
（１）本願に係るシステムは、オーディオデータを提供するコンテンツサーバと、第１の信号処理部を有して、オーディオデータを再生する第１再生機器と、オーディオデータを再生する第２再生機器と、を備え、第２再生機器でのオーディオデータの再生が要求されたことに応じて、コンテンツサーバから第１再生機器にオーディオデータを転送し、第１再生機器において第１の信号処理部による所定の信号処理をオーディオデータに施し、当該信号処理されたデータを第２再生機器に転送する。
【０００９】
これにより、例えば、コンテンツサーバから提供されたオーディオデータが第２再生機器で再生することができない形式のオーディオデータであっても、第２再生機器は再生可能なデータ形式のオーディオデータを第１再生機器から受け取ることができる。
【００１０】
（２）また、本願に係るシステムにおいて、コンテンツサーバに格納されているオーディオデータは、第１データ形式のデジタルデータであり、信号処理は、第１データ形式のオーディオデータを第１データ形式とは異なる第２データ形式のオーディオデータに変換するデータ変換処理である。これにより、第２再生機器は第１再生機器から第２のデータ形式のオーディオデータを受け取ることができる。
【００１１】
（３）また、本願に係るシステムにおいて、第２再生機器は第２の信号処理部を有し、第１の信号処理部は第１のデータ形式を再生可能であり、第１の信号処理部は第２のデータ形式を再生可能である。これにより、第２再生機器は、受け取った第２のデータ形式のオーディオデータを再生することができる。
【００１２】
（４）また、本願に係るシステムにおいて、オーディオデータの周波数帯域を拡張する帯域拡張処理である。これにより、第２再生機器は、帯域拡張されたオーディオデータを受け取ることができる。
【発明の効果】
【００１３】
本願に係るシステムによれば、再生機器ごとに各々で処理可能なデータ形式のオーディオデータを提供することで再生機器ごとの性能に合わせた音質での再生を、必要最小限のオーディオデータの転送により実現することができる。
【図面の簡単な説明】
【００１４】
【図１】第１実施形態に係るシステムの全体構成を示す図である。
【図２】第１再生機器の構成を示すブロック図である。
【図３】第２再生機器の構成を示すブロック図である。
【図４】再生処理の処理内容を示すフローチャートである。
【図５】再生処理の変形例の処理内容を示すフローチャートである。
【図６】第２実施形態に係るシステムの全体構成を示す図である。
【発明を実施するための形態】
【００１５】
図１を用いて、第１実施形態に係るシステム１の全体構成について説明する。システム１はインターネット２、コンテンツサーバ３、携帯端末１０、ルータ２０、第１再生機器３０、第２再生機器４０、スピーカ５１、５２を含む。携帯端末１０、第１再生機器３０、第２再生機器４０はルータ２０を介してＬＡＮを構成している。携帯端末１０、第１再生機器３０、第２再生機器４０は無線ＬＡＮに対応しており、互いに無線通信を行うことができる。第１再生機器３０およびスピーカ５１はゾーンＺ１に、第２再生機器４０およびスピーカ５２はゾーンＺ２にそれぞれ配置されている。ここで、ゾーンＺ１、Ｚ２はそれぞれ、例えば、キッチン、リビングである。第１再生機器３０にはスピーカ５１が接続されている。また、第２再生機器４０にはスピーカ５２が接続されている。
【００１６】
コンテンツサーバ３はインターネット２に接続されており、要求に応じて、保有する例えばオーディオデータなどのコンテンツを提供する。ルータ２０はＬＡＮとインターネット２とを中継する。また、無線ＬＡＮアクセスポイントとして機能する。第１再生機器３０および第２再生機器４０は通信機能、再生機能などを備える、例えば、ＡＶアンプ、ＡＶレシーバなどである。携帯端末１０は記憶部１１などを含む、例えば携帯電話機、スマートフォン、タブレット端末等である。携帯端末１０はユーザからの指示を受け付け、無線ＬＡＮを介して第１再生機器３０および第２再生機器４０を制御するアプリケーションが予めインストールされており、第１再生機器３０および第２再生機器４０を制御するコントローラとして機能する。スピーカ５１、５２は入力されるオーディオデータに応じて放音する。
【００１７】
次に、第１再生機器３０の電気的構成について図２を用いて説明する。
第１再生機器３０は出力端子Ｏ３０、Ｏ３１、制御部３１、ネットワークインターフェース３４、信号処理部３５、ＤＡＣ（ｄｉｇｉｔａｌ  ｔｏ  ａｎａｌｏｇ  ｃｏｎｖｅｒｔｅｒ）３６、およびアンプ部３７などを含む。第１再生機器３０はネットワークインターフェース３４を介して受信したオーディオデータを再生する機能の他に、信号処理部３５から出力されるオーディオデータをネットワークインターフェース３４により送信する機能を有する。
【００１８】
出力端子Ｏ３０はスピーカ５１が接続される端子である。出力端子Ｏ３１は音響ケーブル１００（図５において後述）が接続される端子である。制御部３１はＣＰＵ３２、記憶部３３などを含む。ＣＰＵ３２は記憶部３３に記憶されている各種のプログラムを実行することによって、不図示のバスで接続されているネットワークインターフェース３４、信号処理部３５、ＤＡＣ３６、およびアンプ部３７などを制御する。ネットワークインターフェース３４は、アンテナ３４ａを介して受信した電波の復調および送信する電波の生成を行う機能を有する。ネットワークインターフェース３４により、第１再生機器３０は無線ＬＡＮを介して、例えば携帯端末１０および第２再生機器４０と通信することができる。
【００１９】
信号処理部３５は受信したオーディオデータに所定の信号処理を行い作成したオーディオデータをＤＡＣ３６、ネットワークインターフェース３４へ出力する。ここで、信号処理とは、例えば、受信したＤＳＤ（Ｄｉｒｅｃｔ  Ｓｔｒｅａｍ  Ｄｉｇｉｔａｌ）形式のオーディオデータをＰＣＭ（ｐｕｌｓｅ  ｃｏｄｅ  ｍｏｄｕｌａｔｉｏｎ）形式のオーディオデータに変換する変換処理、受信したオーディオデータに欠落した周波数帯域がある場合に、当該周波数帯域のデータを付加したオーディオデータを生成する帯域拡張処理、などである。信号処理部３５は、例えば、汎用中央処理装置（ＣＰＵ）、デジタル信号処理プロセッサ（ＤＳＰ）、マイクロコントローラなどにより実行される。ＤＡＣ３６はデジタルオーディオデータをアナログオーディオデータに変換し、アンプ部３７および出力端子Ｏ３１へ出力する。アンプ部３７は設定された音量に応じてアナログオーディオデータを増幅し出力端子Ｏ３０へ出力する。
【００２０】
図３に示す第２再生機器４０は、入力端子Ｉ４０、出力端子Ｏ４０、制御部４１、ネットワークインターフェース４４、信号処理部４５、ＤＡＣ４６、スイッチＳＷ１、アンプ部４７などを含む。
【００２１】
入力端子Ｉ４０は音響ケーブル１００（図５において後述）が接続される端子であり、出力端子Ｏ４０はスピーカ５２が接続される端子である。制御部４１は、ＣＰＵ４２、記憶部４３などを含む。制御部４１は第１再生機器３０の制御部３１と同様の機能を有し、不図示のバスで接続されているネットワークインターフェース４４、信号処理部４５、ＤＡＣ４６、スイッチＳＷ１、およびアンプ部４７などを制御する。ネットワークインターフェース４４はアンテナ４４ａを備え、第１再生機器３０のネットワークインターフェース３４と同様の機能を有する。ネットワークインターフェース４４により、第２再生機器４０は無線ＬＡＮを介して、例えば携帯端末１０および第１再生機器３０と通信することができる。ネットワークインターフェース４４に接続される信号処理部４５は受信したオーディオデータに所定の信号処理を行い作成したオーディオデータをＤＡＣ４６へ出力する。信号処理部４５に接続されるＤＡＣ４６は、デジタルオーディオデータをアナログオーディオデータに変換し、スイッチＳＷ１の入力端子ＩＳ２へ出力する。スイッチＳＷ１は入力端子ＩＳ１、ＩＳ２、および出力端子ＯＳ１を有する。入力端子ＩＳ１は入力端子Ｉ４０に接続されている。スイッチＳＷ１は制御部４１の指令に応じて、出力端子ＯＳ１の接続先を入力端子ＩＳ１またはＩＳ２に切替える。アンプ部４７は出力端子Ｏ４０に接続されており、設定された音量に応じてアナログオーディオデータを増幅し出力する。
【００２２】
ここでは、第１再生機器３０と第２再生機器４０とで性能が異なるものであり、具体的には、信号処理部３５と信号処理部４５とで処理可能なオーディオデータが異なるものとする。第１再生機器３０で再生可能なオーディオデータの形式は、例えばＤＳＤ、ＰＣＭ、ＡＡＣ、ＷＡＶ、ＭＰ３、ＷＭＡ、ＦＬＡＣ、ＡＬＡＣ、ＡＩＦＦなどである。一方、第２再生機器４０で再生可能なオーディオデータの形式は、例えばＰＣＭ、ＷＡＶ、ＭＰ３、ＷＭＡなどであり、ＤＳＤ形式のオーディオデータを再生することができない。
【００２３】
次に、第１再生機器３０および第２再生機器４０でオーディオデータが再生される場合のフローについて、再生処理のフローチャート（図４）を用いて説明する。ここでは、ＤＳＤ形式のオーディオデータが選択される場合について説明する。
【００２４】
第１再生機器３０および第２再生機器４０を制御するアプリケーションに従って携帯端末１０は、再生処理を行う他に、制御を行う再生機器などに関する情報を取得して設定情報として保持する設定処理を実行する。ここで、再生機器に関する情報とは、例えば再生機器が再生可能なオーディオデータのデータ形式、実行可能な信号処理の内容、アンプ部の性能、および再生機器間の接続情報などである。ユーザにより所定の動作が行われることにより、システム１に含まれる再生機器は第１再生機器３０および第２再生機器４０であるとの情報、および第１再生機器３０および第２再生機器４０に関する情報が、再生処理を実行する前に、設定情報として携帯端末１０の記憶部１１に記憶される。
【００２５】
ユーザによりアプリケーションが起動されると、携帯端末１０は再生処理を開始する。まず、携帯端末１０は入力ソースの一覧を表示する。表示される入力ソースは予め設定されており、例えば、「携帯端末」「サーバ」などである。「携帯端末」とは、ユーザが操作している携帯端末１０であり、「サーバ」とはＬＡＮに接続されている例えばコンテンツサーバ、ＮＡＳ（Ｎｅｔｗｏｒｋ  Ａｔｔａｃｈｅｄ  Ｓｔｏｒａｇｅ）、ＰＣ（Ｐｅｒｓｏｎａｌ  Ｃｏｍｐｕｔｅｒ）などである。入力ソースとして、「サーバ」が選択されると、携帯端末１０はＬＡＮに接続されているサーバであるコンテンツサーバ３を表示する。ユーザによりコンテンツサーバ３が選択されると、携帯端末１０はコンテンツサーバ３が保有するオーディオデータの一覧を例えばリスト表示する。ユーザにより所望のＤＳＤ形式のオーディオデータが選択されると（Ｓ１）、次に携帯端末１０は登録されている再生機器の一覧を表示する。ユーザにより、再生機器として第１再生機器３０および第２再生機器４０が選択されると（Ｓ３）、携帯端末１０は選択された再生機器は複数であるか否かを判断する（Ｓ５）。第１再生機器３０および第２再生機器４０が選択されたので、再生機器は複数であると判断することに応じて（Ｓ５：ＹＥＳ）、選択された再生機器のうち、選択されたＤＳＤ形式のオーディオデータを再生可能な再生機器はあるか否かを判断する（Ｓ７）。携帯端末１０は記憶部１１に記憶されている設定情報を参照して、選択されたＤＳＤ形式のオーディオデータは第１再生機器３０で再生可能であると判断して、再生可能な再生機器はあると判断する（Ｓ７：ＹＥＳ）。
【００２６】
次に、携帯端末１０は再生可能である第１再生機器３０をマスタ機器に決定し、第１再生機器３０から第２再生機器４０へオーディオデータを伝達させることとして伝送経路を決定する（Ｓ９）。ここで、マスタ機器とは、コンテンツサーバ３からオーディオデータを受信する機器である。次に、マスタ機器である第１再生機器３０に、コンテンツサーバ３から無線ＬＡＮを介してＤＳＤ形式のオーディオデータを受信して再生するとともに、ＤＳＤ形式のオーディオデータをＰＣＭ形式のオーディオデータに変換して第２再生機器４０へオーディオデータを送信するように指令する（Ｓ１１）。指令に応じて、第１再生機器３０はＤＳＤ形式のオーディオデータをネットワークインターフェース３４で受信して、信号処理部３５で変換されたＰＣＭ形式のオーディオデータを、ネットワークインターフェース３４を介して第２再生機器４０に送信する。また、第１再生機器３０は受信したＤＳＤ形式オーディオデータを信号処理部３５、ＤＡＣ３６、アンプ部３７へ順次伝送させて、出力端子Ｏ３０から出力する。
【００２７】
また、携帯端末１０は、第２再生機器４０に第１再生機器３０から送信されるオーディオデータを再生するように指令する。指令に応じて、第２再生機器４０の制御部４１は、スイッチＳＷ１に入力端子ＩＳ２と出力端子ＯＳ１とを接続するように指令する。これにより、第１再生機器３０から送信され、ネットワークインターフェース４４で受信されたＰＣＭ形式のオーディオデータは信号処理部４５、ＤＡＣ４６、スイッチＳＷ１、アンプ部４７に順次伝送されて、出力端子Ｏ４０から出力される。
【００２８】
第１再生機器３０または第２再生機器４０から出力されるオーディオデータに応じてスピーカ５１、５２は放音し（Ｓ１３）、再生処理は終了する。これにより、第１再生機器はＤＳＤ形式のオーディオデータを、第２再生機器はＰＣＭ形式のオーディオデータをそれぞれ再生することにより、形式が異なる同じ内容のオーディオデータを再生することができる。第１再生機器３０では第２再生機器４０とデータ形式を合わせる必要はなく、高音質のＤＳＤ形式のオーディオデータを再生することができる。第２再生機器４０はコンテンツサーバ３から提供されるオーディオデータが再生することができないＤＳＤ形式のデータであっても、第１再生機器３０で変換されたデータを受け取ることにより、再生することができる。これにより、システム１は、コンテンツサーバ３から第１再生機器３０で再生可能なＤＳＤ形式のオーディオデータと、第２再生機器４０で再生可能なＰＣＭ形式のオーディオデータとの２つのオーディオデータを受信することなく、同じ内容のオーディオデータを再生することができる。
【００２９】
次に、再生処理について追加説明する。
例えば、ユーザにより、ＤＳＤ形式のオーディオデータが選択され（Ｓ１）、再生機器として第２再生機器４０が選択される（Ｓ３）場合について説明する。
【００３０】
この場合、第２再生機器４０のみが選択されるので、携帯端末１０は、再生機器は複数でないと判断する（Ｓ５：ＮＯ）。次に、携帯端末１０は、選択された再生機器で選択されたオーディオデータは再生可能か否かを判断する（Ｓ１５）。選択されたＤＳＤ形式のオーディオデータは選択された第２再生機器４０で再生不可能であるので、再生機器で再生可能ではないと判断し（Ｓ１５：ＮＯ）、次に、再生可能な再生機器は他にあるか否かを判断する（Ｓ１７）。第１再生機器３０はＤＳＤ形式のオーディオデータを再生可能であるので、再生可能な再生機器が他にあると判断し（Ｓ１７：ＹＥＳ）、次にステップＳ９へ進む。上記したように、ステップＳ９以降の処理が実行され、選択されたオーディオデータは第２再生機器４０で再生される。なお、この場合、第１再生機器３０の出力端子Ｏ３０への音声出力をミュートして、スピーカ５１による放音が行われないようにする。
【００３１】
次に、ユーザにより、ＤＳＤ形式のオーディオデータが選択され（Ｓ１）、再生機器として第１再生機器３０が選択される（Ｓ３）場合について説明する。
この場合、第１再生機器３０が選択されるので、携帯端末１０は、再生機器は複数でないと判断する（Ｓ５：ＮＯ）。次に、携帯端末１０は、ステップＳ１５を実行する。選択されたＤＳＤ形式のオーディオデータは選択された第１再生機器３０で再生可能であるので、再生機器で再生可能であると判断し（Ｓ１５：ＹＥＳ）、次にステップＳ１３へ進む。上記したように、ステップＳ１３以降の処理が実行され、選択されたオーディオデータは第１再生機器３０で再生される。
【００３２】
ユーザにより、第１再生機器３０および第２再生機器４０の何れにおいても再生不可能な形式のオーディオデータが選択された場合には、携帯端末１０は、再生できない旨のエラーを報知する（Ｓ１９）。例えば、第１再生機器３０および第２再生機器４０の何れにおいても再生不可能な形式のオーディオデータが選択され（Ｓ１）、再生機器として第１再生機器３０および第２再生機器４０が選択された場合（Ｓ３）、携帯端末１０は、再生機器は複数であると判断し（Ｓ５：ＹＥＳ）、再生可能な再生機器はないと判断し（Ｓ７：ＮＯ）、ステップＳ１９で進む。例えば、第１再生機器３０および第２再生機器４０の何れにおいても再生不可能な形式のオーディオデータが選択され（Ｓ１）、再生機器として例えば第１再生機器３０が選択された場合（Ｓ３）、携帯端末１０は、再生機器は複数でないと判断し（Ｓ５：ＮＯ）、次に、再生機器で再生可能ではないと判断し（Ｓ１５：ＮＯ）、次に、再生可能な再生機器は他にないと判断し（Ｓ１７：ＮＯ）、ステップＳ１９で進む。
【００３３】
尚、ステップＳ９の説明において、例えばＤＳＤ形式からＰＣＭ形式への変換などの形式を変換する能力に基づいてマスタ機器を決定する、と説明した。この他に、例えばＰＣＭ形式においてサンプリング周波数が９６ｋＨｚ、１９２ｋＨｚ，３８４ｋＨなどの所謂、ハイレゾ音源の再生能力、Ｄｏｌｂｙ（登録商標）やＤＴＳ（登録商標）などの音声ストリームのＰＣＭ変換能力、などのコーデックに関する能力などに基づいて決定しても良い。
【００３４】
次に、再生処理の変形例について説明する。
上記では、ＤＳＤ形式のコンテンツの選択に応じて、ＤＳＤ形式が再生可能な再生機器を経由する経路を選択する例であったが、経路選択の条件はコンテンツに限られない。
本変形例では、ユーザにより選択された音響信号処理の内容に応じて伝送経路を選択するようにした例である。
図５は再生処理の変形例に係るフローチャートである。本フローでは図４のフローに加えて音響信号処理を選択する処理が追加されている。この例では、ユーザにより帯域拡張処理が選択された場合である。
【００３５】
上記したように、第１再生機器３０はオーディオデータを再生するだけでなく、オーディオデータに帯域拡張処理を行い、オーディオデータの音質を向上させることができる。変形例に係る再生処理では、ユーザに音響信号処理を選択させるステップであるステップＳ３１を追加している。これにより、ユーザは手間なく所望の音響信号処理を施したオーディオデータを聴くことができる。音響信号処理としては、帯域拡張処理の他に、例えば、ノイズを除去するノイズ除去処理、例えば周波数帯域毎にレベルを調整するイコライジング処理などとすると良い。ユーザは音響信号処理を施したオーディオデータを再生させたい場合には、ステップＳ３１において、所望の音響信号処理を選択することができる。ここで、選択できる音響信号処理とは、設定処理において、携帯端末１０が取得した設定情報に含まれる「実行可能な信号処理の内容」である。ここでは、システム１における「実行可能な信号処理の内容」は、第１再生機器３０が実行可能な帯域拡張処理だけであるとする。ユーザが、ステップＳ３１において、帯域拡張処理を選択する場合を例に、変形例に係る再生処理について図５を用いて説明する。尚、第１実施形態に係る再生処理と同じステップには同じ符号を付し、詳細な説明は適宜省略する。
【００３６】
ユーザにより第１再生機器、第２再生機器のいずれにおいても再生可能な形式のオーディオデータが選択され（Ｓ１）、次に、再生機器として、第２再生機器４０が選択されると（Ｓ３）、携帯端末１０は、次にステップＳ３１へ進む。ステップＳ３１では、上記したように、設定情報を参照し、システム１に含まれる再生機器が再生可能な音響信号処理である「帯域拡張処理」を表示する。ユーザにより「帯域拡張処理」が選択されると、次にステップＳ５へ進む。再生機器として第２再生機器４０が選択されたので、再生機器は複数でないと携帯端末１０は判断し（Ｓ５：ＮＯ）、ステップＳ３７へ進む。選択された音響信号処理である「帯域拡張処理」は第２再生機器４０で実行不可であるので、携帯端末１０は当該信号処理が可能でないと判断し（Ｓ３７：ＮＯ）、次に、当該信号処理が可能な再生機器は他にあるか否かを判断する（Ｓ３９）。第１再生機器３０は帯域拡張処理を実行可能であるので、当該信号処理が可能な再生機器は他にあると判断し（Ｓ３９：ＹＥＳ）、ステップＳ９へ進む。
【００３７】
ステップＳ９では、携帯端末１０は帯域拡張処理を実行可能である第１再生機器３０をマスタ機器に決定し、第１再生機器３０から第２再生機器４０へオーディオデータを伝達させることとして伝送経路を決定する。次に、マスタ機器である第１再生機器３０に、コンテンツサーバ３から無線ＬＡＮを介してオーディオデータを受信して再生するとともに、オーディオデータに帯域拡張処理を施して、帯域拡張処理後のオーディオデータを第２再生機器４０へ送信するように指令する（Ｓ１１）。指令に応じて、第１再生機器３０はオーディオデータをネットワークインターフェース３４で受信して、信号処理部３５で帯域拡張処理後のオーディオデータを、ネットワークインターフェース３４を介して第２再生機器４０に送信する。また、携帯端末１０は、第２再生機器４０に第１再生機器３０から送信されるオーディオデータを再生するように指令する。第２再生機器４０から出力されるオーディオデータに応じてスピーカ５２は放音し（Ｓ１３）、再生処理は終了する。
【００３８】
ユーザにより第１再生機器、第２再生機器のいずれにおいても再生可能な形式のオーディオデータが選択され（Ｓ１）、再生機器として、第１再生機器３０および第２再生機器４０が選択され（Ｓ３）、音響信号処理として「帯域拡張処理」が選択された（Ｓ３１）場合、再生機器は複数であると携帯端末１０は判断し（Ｓ５：ＹＥＳ）、次にステップＳ３３を実行する。ステップＳ３３では、当該信号処理が可能な再生機器はあるか否かを判断する。第１再生機器３０は帯域拡張処理を実行可能であるので、当該信号処理が可能な再生機器はあると判断し（Ｓ３３：ＮＯ）、ステップＳ９へ進む。
【００３９】
以上、ユーザは所望の音響信号処理を施したオーディオデータを再生させたい場合には、ステップＳ３１において、所望の音響信号処理を選択するだけで、所望の音響信号処理を施したオーディオデータを再生させることができる。
【００４０】
ここで、信号処理部３５およびＤＡＣ３６は第１の信号処理部の一例であり、信号処理部４５およびＤＡＣ４６は第２の信号処理部の一例である。また、信号処理部３５が行う変換処理は信号処理およびデータ変換処理の一例である。また、信号処理部３５が行う帯域拡張処理は信号処理の一例である。
【００４１】
以上、上記した第１実施形態によれば、以下の効果を奏する。
ステップＳ３において、ユーザに再生機器として第１再生機器３０および第２再生機器４０、あるいは第２再生機器４０が選択された場合、即ち、第２再生機器４０でのオーディオデータの再生が要求されたことに応じて、携帯端末１０はコンテンツサーバ３からオーディオデータを受信するマスタ機器を第１再生機器３０に決定し、第１再生機器３０から第２再生機器４０へオーディオデータを伝達させることを決定する（Ｓ９）。携帯端末１０の指令に応じて、第１再生機器３０はＤＳＤ形式のオーディオデータをＰＣＭ形式のオーディオデータに変換し、変換したＰＣＭ形式のオーディオデータを第２再生機器４０に転送する。これにより、コンテンツサーバ３から提供されたオーディオデータが第２再生機器４０で再生することができないＤＳＤ形式のオーディオデータであっても、第２再生機器４０は再生可能なＰＣＭ形式のオーディオデータを第１再生機器３０から受け取ることができる。同じ内容のオーディオデータを第１再生機器３０と第２再生機器４０とで再生させたい場合においても、第１再生機器３０で処理可能なＤＳＤ形式のオーディオデータおよび第２再生機器で処理可能なＰＣＭ形式のオーディオデータの２つのオーディオデータを転送させることなく、同じ内容のオーディオデータを再生させることができる。
【００４２】
次に図６により第２実施形態に係るシステム４の全体構成について説明する。システム４では第１実施形態に係るシステム１に追加して、第１再生機器３０の出力端子Ｏ３１と第２再生機器４０の入力端子Ｉ４０とがアナログオーディオデータを伝送する音響ケーブル１００で接続される。これにより、第１再生機器３０で変換されたアナログオーディオデータを第２再生機器４０で再生することができる。
【００４３】
第１実施形態では第１再生機器３０の信号処理部３５と第２再生機器４０の信号処理部４５における性能の差の例として、信号処理部３５と信号処理部４５における処理について差がある例を示したが、第２実施形態では第１再生機器３０のＤＡＣ３６と第２再生機器４０のＤＡＣ４６の性能が異なり、第１再生機器３０のＤＡＣ３６が第２再生機器４０のＤＡＣ４６よりも高性能であるものとする。第１実施形態では、第１再生機器３０が備える信号処理部３５と、第２再生機器４０が備える第２再生機器４０とでは、実行可能な信号処理が異なる場合を例示した。第２実施形態では、第１再生機器３０が備えるＤＡＣ３６と、第２再生機器４０が備えるＤＡＣ４６とでは性能が異なる場合を例示する。ＤＡＣ３６の方が高性能であり、同じデジタルオーディオデータが入力された場合であっても、ＤＡＣ４６よりもＤＡＣ３６で変換されたアナログオーディオデータの方が、音質が良い。ここでいう性能の差には、対応するサンプリング周波数、量子化ビット数、ＳＮ比、などを含む。以下、詳述する。
【００４４】
アプリケーションに従って、携帯端末１０は、第１実施形態と同様に設定処理を実行し、第１再生機器３０の出力端子Ｏ３１と第２再生機器４０の入力端子Ｉ４０とが音響ケーブル１００で接続されるとの接続情報を設定情報として記憶部１１に記憶する。再生処理では、ステップＳ１５でＹＥＳと判断された場合に、ステップＳ９へ進む構成とする。
【００４５】
例えば、第２再生機器４０でも再生可能なＰＣＭ形式のオーディオデータが選択され、ステップＳ３において第２再生機器４０が選択された場合、第２再生機器４０で選択されたＰＣＭ形式のオーディオデータは再生可能である（Ｓ１５：ＹＥＳ）と判断し、ステップＳ９へ進む。上記したように、ステップＳ９では、再生機器の性能に応じてマスタ機器を選択する構成とする。これにより、ステップＳ９では、より高性能のＤＡＣ３６を有する第１再生機器３０をマスタ機器に決定する。
【００４６】
次に、マスタ機器である第１再生機器３０に、コンテンツサーバ３から無線ＬＡＮを介して受信するＰＣＭ形式のオーディオデータを、ネットワークインターフェース３４、信号処理部３５、ＤＡＣ３６へ順次伝送させ、出力端子Ｏ３１から出力するように指令する。第１再生機器３０の出力端子Ｏ３１には音響ケーブル１００を介して第２再生機器４０の入力端子Ｉ４０に接続されているので、第１再生機器３０のＤＡＣ３６から出力されるアナログオーディオデータは入力端子Ｉ４０より第２再生機器４０へ入力される。また、第２再生機器４０に入力端子Ｉ４０により受信されるオーディオデータを再生するように指令する。指令に応じて、第２再生機器４０の制御部４１は、スイッチＳＷ１に入力端子ＩＳ１と出力端子ＯＳ１とを接続するように指令する。これにより、第１再生機器３０から送信され、入力端子Ｉ４０により受信されたＰＣＭ形式のオーディオデータはスイッチＳＷ１、アンプ部４７に順次伝送されて、出力端子Ｏ４０から出力される。これにより、スピーカ５２で選択されたオーディオデータが放音される。これにより、ユーザはより高音質のオーディオデータを聴くことができる。
【００４７】
ここで、第１再生機器３０が有するＤＡＣ３６が行う、デジタルオーディオデータをアナログオーディオデータに変換する処理は、信号処理の一例である。
【００４８】
上記した第２実施形態によれば、第２再生機器４０は自身のＤＡＣ４６で変換するよりも高音質のアナログオーディオデータを第１再生機器３０から受け取ることができる。
【００４９】
尚、本発明は前記実施形態に限定されるものではなく、本発明の趣旨を逸脱しない範囲内での種々の改良、変更が可能であることは言うまでもない。
例えば、システム１、４は第１再生機器３０と第２再生機器４０とを含むと説明したが、再生機器を３台以上含む構成としても良い。例えば、再生機器が３台以上含む構成の場合、ステップＳ９では、オーディオデータが再生可能であるか否か、実行可能な信号処理の内容、ＤＡＣの性能について、予め決められた優先順位に従ってマスタ機器および伝送経路を判断する構成とすれば良い。例えば、ユーザにより選択されたオーディオデータを再生可能な再生機器が複数ある場合には、次に、例えば、ＤＡＣの性能を比較し、ＤＡＣが高性能である再生機器をマスタ機器と決定する。
【００５０】
また、再生処理では、ステップＳ１５でＹＥＳと判断することに応じて、ステップＳ１３へ進むと説明したが、これに替えてステップＳ９へ進む構成としても良い。第１再生機器３０は帯域拡張処理を実行できるのに対し、第２再生機器４０は帯域拡張処理を実行できない。そこで、ステップＳ１において、例えば第２再生機器４０においても再生可能なＰＣＭ形式のオーディオデータが選択され、ステップＳ３において第２再生機器４０が選択され、ステップＳ５でＮＯと判断された場合、第２再生機器４０においても選択されたＰＣＭ形式のオーディオデータは再生可能である（Ｓ１５：ＹＥＳ）が、第２再生機器４０でオーディオデータを受信して再生するのではなく、ステップＳ９へ進む。上記では、ステップＳ９はオーディオデータが再生可能であるか否かに基づいてマスタ機器を決定すると説明したが、これに追加して、再生機器の性能に基づいてマスタ機器を選択する構成とする。詳しくは、受信するデジタルオーディオデータをアナログオーディオデータへ変換する場合に、より高音質のオーディオデータに変換できる機器をマスタ機器とする。従って、帯域拡張処理を実行可能な第１再生機器３０をマスタ機器とする。これにより、第２再生機器４０は第１再生機器３０を経由してオーディオデータを受信することにより、高音質のオーディオデータを再生することができる。尚、ステップＳ９以上の処理は、上記したようじ実行される構成とすれば良い。
【００５１】
また、再生処理において、システム１、４でオーディオデータを再生する度に、マスタ機器を決定する（Ｓ９）と説明したが、マスタ機器および伝送経路を決定する処理ステップ（Ｓ９）を再生処理から切り離し、例えば、設定処理に含める構成としても良い。また、ステップＳ９は携帯端末１０が実行すると説明したが、例えばユーザが決定する構成としても良い。
【００５２】
また、第１再生機器３０、第２再生機器４０の構成は上記に限定されない。第１再生機器３０は音響ケーブルが接続される入力端子、スイッチなどをさらに備えて構成されても良いし、第２再生機器４０は音響ケーブルが接続される出力端子、信号処理部などをさらに備えて構成されても良い。
【００５３】
また、システム１、４において、携帯端末１０がコントローラとして機能すると説明したが、これに限定されず、例えば、制御するアプリケーションが使用可能なＰＣ、あるいは再生機器に付属のリモコンなどをコントローラとしても良い。また、第１再生機器３０あるいは第２再生機器４０はコンテンツサーバ３からオーディオデータを受信すると説明したが、これに限定されず、例えば、ＬＡＮに接続されるＰＣ、ＮＡＳ（Ｎｅｔｗｏｒｋ  Ａｔｔａｃｈｅｄ  Ｓｔｏｒａｇｅ）などのストレージからオーディオデータを受信する構成においても適用することができる。
【００５４】
また、第１再生機器３０および第２再生機器４０は無線ＬＡＮにより通信すると説明したが、これに限定されず、有線ＬＡＮ通信においても適用することができる。
【００５５】
制御部３１、４１は各々ＣＰＵ３２、４２および記憶部３３、４３などにより構成されると説明したが、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの回路群によって実現しても良い。
【００５６】
また、ゾーンＺ１、Ｚ２は例えば、キッチン、リビングであると説明したが、住宅に限定されず、例えば、音楽演奏会場やイベント会場のような施設で使用されるＰＡ（Ｐｕｂｌｉｃ  Ａｄｄｒｅｓｓ）にも適用することもできる。また、第１再生機器３０および第２再生機器４０は同じゾーンに配置される構成としても良い。
【符号の説明】
【００５７】
１、４      システム
２      インターネット
３      コンテンツサーバ
１０      携帯端末
２０      ルータ
３０      第１再生機器
３１、４１      制御部
３４、４４      ネットワークインターフェース
３５、４５      信号処理部
３６、４６      ＤＡＣ
３７、４７      アンプ部
４０      第２再生機器
１００      音響ケーブル
ＳＷ１      スイッチ
Ｚ１、Ｚ２      ゾーン
【図１】
2017156671.tif 000003
【図２】
2017156671.tif 000004
【図３】
2017156671.tif 000005
【図４】
2017156671.tif 000006
【図５】
2017156671.tif 000007
【図６】
2017156671.tif 000008